(57)【要約】【課題】  従来の電話局の加入者回線を利用したまま、着信によりオフフックした後、ハンドセットからリンガ音が聞こえることを防止する。【解決手段】  リンガ信号を検出するリンガ信号検出手段１０１と、前記リンガ信号検出手段により前記リンガ信号が検出されている期間、スピーカと回線との接続を切断する切断手段ＳＷＲと、を備える。【選択図】        図４
2006325088.tif 000002
【特許請求の範囲】
【請求項１】
リンガ信号を検出するリンガ信号検出手段と、
前記リンガ信号検出手段により前記リンガ信号が検出されている期間、スピーカと回線との接続を切断する切断手段と、
を備えることを特徴とする電話装置。
【請求項２】
請求項１に記載の電話装置において、
前記リンガ信号検出手段は、前記リンガ信号の交流振幅がある間、直流信号を出力することを特徴とする電話装置。
【請求項３】
リンガ信号を検出するリンガ信号検出ステップと、
前記リンガ信号検出ステップにより前記リンガ信号が検出されている期間、スピーカと回線との接続を切断する切断ステップと、
を備えることを特徴とする電話回線接続方法。
【請求項４】
請求項３に記載の電話回線接続方法において、
前記リンガ信号検出ステップは、前記リンガ信号の交流振幅がある間、直流信号を出力することを特徴とする電話回線接続方法。
【請求項５】
リンガ信号を検出するリンガ信号検出手段と、
前記リンガ信号検出手段により前記リンガ信号が検出されている期間、局線インターフェース部の通話部と内線インターフェース部の通話部分との接続を切断する切断手段と、
を備えることを特徴とする電話交換機。
【請求項６】
請求項５に記載の電話交換機において、
前記リンガ信号検出手段は、前記リンガ信号の交流振幅がある間、直流信号を出力することを特徴とする電話交換機。
【請求項７】
リンガ信号を検出するリンガ信号検出ステップと、
前記リンガ信号検出ステップにより前記リンガ信号が検出されている期間、局線インターフェース部の通話部と内線インターフェース部の通話部分との接続を切断する切断ステップと、
を備えることを特徴とする電話回線接続方法。
【請求項８】
請求項７に記載の電話回線接続方法において、
前記リンガ信号検出ステップは、前記リンガ信号の交流振幅がある間、直流信号を出力することを特徴とする電話回線接続方法。
【発明の詳細な説明】
【技術分野】
【０００１】
本発明は、公衆電話網等を通して通話等を行うための電話装置、電話交換機及び電話回線接続方法に関し、特に、リンガに関連した特徴を有する電話装置、電話交換機及び電話回線接続方法に関する。
【背景技術】
【０００２】
図１は、従来例による電話装置の回路図である。図２は、電話局の加入者回路のうちのリンガに関連した部分及び電話装置のうちリンガに関連した部分を示す回路図である。
【０００３】
図１及び図２を参照すると、電話装置の端子Ｌ１及び端子Ｌ２は、加入者回路に接続される。電話装置に着信があった場合、加入者回路のスイッチＳＷＡ及びＳＷＢがオンとなり、端子Ｌ１及び端子Ｌ２との間には、直流電源ＶＤＣが生成する直流電圧及び交流電源ＶＡＣが生成する交流電圧が印加される。そうすると、コンデンサＣ１が直流を阻止するため、リンガＢには交流電圧のみが印加され、これによりリンガＢはリンガ音を出力する。なお、この交流電圧の周波数は１６Ｈｚであり、また、この交流電圧は１秒間続いたならば、２秒間休止することを繰り返す。
【０００４】
ハンドセットがオフフックされると、フックスイッチＨＳ１及びフックスイッチＨＳ２がオンとなる。そうすると、電話装置の内部において、端子Ｌ１と端子Ｌ２との間にはスイッチＤ１（オン状態）、トランスＬ、スピーカＴ及びスイッチＨＳ２を経由する短絡経路が形成される。そうすると、加入者回路の抵抗ＲＡの両端に直流電圧が発生する。加入者回路の制御部（図示せず。）は、抵抗ＲＡの両端に直流電圧が発生したことを検出すると、スイッチＳＷＡ及スイッチＳＷＢをオフにする。これにより、リンガＢはリンガ音の出力を終了する。
【０００５】
これ以降、電話装置は、通話状態となり、加入者回路の給電切換・テスト・給電・監視・２線−４線変換・符号化部Ｓを介して、通話相手の電話装置と音声等の送受信を行う。
【特許文献１】特開昭５７−２０６１５１号公報
【特許文献２】特開昭６１−１４８９４４号公報
【発明の開示】
【発明が解決しようとする課題】
【０００６】
しかし、図３に示すように、フックスイッチＨＳ１及びフックスイッチＨＳ２がオンとなってからスイッチＳＷＡ及びスイッチＳＷＢがオフになり、これによりリンガ音が止むまでの間には、加入者回路の制御部の動作速度及び電話線での信号の伝送時間等に起因して、遅延時間が発生する。ユーザがハンドセットをオフフックしてから耳に当てるまでの時間がこの遅延時間よりも長い場合には問題がないが、そうでない場合には、交流電源ＶＡＣが発生する交流電圧がスピーカＲを駆動して、スピーカＲがリンガ音を出力するため、ユーザが耳に当てたハンドセットからリンガ音が聞こえることとなる。このような場合、そのリンガ音はユーザにとってみれば耳障りなノイズとして聞こえる。
【０００７】
特許文献１には、電話局の装置において、これを解決するための発明が記載されている。
【０００８】
本発明は、従来の電話局の加入者回線を利用したまま、着信によりオフフックした後、ハンドセットからリンガ音が聞こえることを防止することを可能とする電話装置、電話交換機及び電話回線接続方法を提供することを目的とする。
【課題を解決するための手段】
【０００９】
本発明の第１の観点によれば、リンガ信号を検出するリンガ信号検出手段と、前記リンガ信号検出手段により前記リンガ信号が検出されている期間、スピーカと回線との接続を切断する切断手段と、を備えることを特徴とする電話装置が提供される。
【００１０】
上記の電話装置において、前記リンガ信号検出手段は、前記リンガ信号の交流振幅がある間、直流信号を出力するようにしてもよい。
【００１１】
本発明の第２の観点によれば、リンガ信号を検出するリンガ信号検出ステップと、前記リンガ信号検出ステップにより前記リンガ信号が検出されている期間、スピーカと回線との接続を切断する切断ステップと、を備えることを特徴とする電話回線接続方法が提供される。
【００１２】
上記の電話回線接続方法において、前記リンガ信号検出ステップは、前記リンガ信号の交流振幅がある間、直流信号を出力するようにしてもよい。
【００１３】
本発明の第３の観点によれば、リンガ信号を検出するリンガ信号検出手段と、前記リンガ信号検出手段により前記リンガ信号が検出されている期間、局線インターフェース部の通話部と内線インターフェース部の通話部分との接続を切断する切断手段と、を備えることを特徴とする電話交換機が提供される。
【００１４】
上記の電話交換機において、前記リンガ信号検出手段は、前記リンガ信号の交流振幅がある間、直流信号を出力するようにしてもよい。
【００１５】
本発明の第４の観点によれば、リンガ信号を検出するリンガ信号検出ステップと、前記リンガ信号検出ステップにより前記リンガ信号が検出されている期間、局線インターフェース部の通話部と内線インターフェース部の通話部分との接続を切断する切断ステップと、を備えることを特徴とする電話回線接続方法が提供される。
【００１６】
上記の電話回線接続方法において、前記リンガ信号検出ステップは、前記リンガ信号の交流振幅がある間、直流信号を出力するようにしてもよい。
【発明の効果】
【００１７】
本発明によれば、リンガ信号を検出するリンガ信号検出手段と、前記リンガ信号検出手段により前記リンガ信号が検出されている期間、スピーカと回線との接続を切断する切断手段と、を備えるので、従来の電話局の加入者回線を利用したまま、着信によりオフフックした後、ハンドセットからリンガ音が聞こえることを防止することが可能となる。
【発明を実施するための最良の形態】
【００１８】
以下、図面を参照して本発明を実施するための最良の形態について詳細に説明する。
【００１９】
［実施形態１］
図４は、本発明の実施形態による電話装置の構成を示す回路図である。
【００２０】
本発明の実施形態による電話装置は、図１に示す従来例による電話装置と比べ、リンガ信号検出部１０１及びスピーカスイッチＳＷＲが追加されている。
【００２１】
本発明の実施形態による電話装置の図１に示す従来例による電話装置と共通な部分については、例えば、特許文献２で説明されている通り、周知慣用技術であるので、説明を省略する。
【００２２】
リンガ信号検出部１０１は、図５に示すように、リンガ信号の交流振幅がある期間にアクティブレベルとなり、他の期間にインアクティブレベルとなるリンガ信号検出信号を出力する。スピーカスイッチＳＷＲは、図５に示すように、リンガ信号検出信号がアクティブレベルである期間にオフとなり、他の期間にオンとなる。これにより、フックスイッチがオンとなってからリンガ信号がオフとなるまでの間に遅延時間がある場合であっても、スピーカにリンガ信号が印加されることが無くなる。また、リンガ信号が無い期間には、通常通りの接続がされるので、リンガ信号が無い期間に発信者の識別情報（発信番号、発信者名等）を表すための信号等の信号が電話機に与えられた場合であっても、これを正常に処理することが可能となる。従って、例えば、発信者番号や発信者名がナンバーディスプレイに表示されないという事態を避けることが可能となる。
【００２３】
図６は、図４に示すリンガ信号検出部の構成例を示す回路図である。
【００２４】
図６を参照すると、リンガ信号検出部は、抵抗１０１−１、フォトカプラ１０１−２、抵抗１０１−３、直流電源１０１−４及び波形整形部１０１−５を備える。
【００２５】
加入者回路から与えられる信号の極性により、フォトカプラ１０１−２の何れかのフォトダイオードがリンガ信号により光を出射し、これによりフォトカプラ１０１−２のフォトトランジスタがオンとなり、信号線１０１−６には、図７に示すような信号が発生する。
【００２６】
波形整形部１０１−５は、例えば、ＡＭ検波器等で用いられる片側検波器又はノン・リトリガブル・モノマルチ・バイブレータより構成され、図７に示すようなリンガ信号検出信号を出力する。
【００２７】
波形整形部１０１−５は、ＣＰＵ及びＣＰＵで実行されるプログラムを記録したＲＯＭ等の記録媒体を備えていても良い。このような場合、ＣＰＵは、図８に示すような動作を行う。図８において、「リンガ信号なし状態」と「リンガ信号あり状態」は、ＣＰＵの内部で保持している状態である。ＣＰＵは、定期的にプログラムを開始し、プログラムの開始時に内部状態を見て、これにより、ステップＳ１２１又はＳ１２８からの動作を開始する。プログラムの開始時に内部状態が「リンガ信号なし状態」である場合には、ステップＳ１２１から動作を開始し、現在の信号線１０１−６のレベルを見て、これがＨＩＧＨであれば、「リンガ信号あり」を検出したと判断し（ステップＳ１２２）、タイマーＯＦＦ＿ＴＩＭＥを所定値にセットし（ステップＳ１２３）、リンガ信号検出信号をＨＩＧＨにすることにより着信を通知し（ステップＳ１２４）、内部状態を「リンガ信号あり状態」に変更する（ステップＳ１２５）。ステップＳ１２１から動作を開始し、現在の信号線１０１−６のレベルを見て、これがＬＯＷであれば、「リンガ信号なし」を検出したと判断し（ステップＳ１２６）、内部状態を「リンガ信号なし状態」のままとする（ステップＳ１２７）。プログラムの開始時に内部状態が「リンガ信号あり状態」である場合には、ステップＳ１２８から動作を開始し、現在の信号線１０１−６のレベルを見て、これがＨＩＧＨであれば、「リンガ信号あり」を検出したと判断し（ステップＳ１２９）、タイマーＯＦＦ＿ＴＩＭＥを所定値に再セットし（ステップＳ１３０）、内部状態を「リンガ信号あり状態」のままとする（ステップＳ１３１）。ステップＳ１２８から動作を開始し、現在の信号線１０１−６のレベルを見て、これがＬＯＷであれば、「リンガ信号なし」を検出したと判断し（ステップＳ１３２）、内部状態を「リンガ信号あり状態」のままとする。ステップＳ１２８から動作を開始し、現在の信号線１０１−６のレベルにかかわらず、タイマーＯＦＦ＿ＴＩＭＥがタイムアップしていれば（ステップＳ１３３）、リンガ信号検出信号をＬＯＷにすることにより非着信を通知し（ステップＳ１３４）、内部状態を「リンガ信号なし状態」に変更する（ステップＳ１３５）。
【００２８】
［実施形態２］
実施形態１は、家庭等に設置される電話装置を改良したものであるが、実施形態２は、会社等に設置される電話交換機を同様に改良したものである。
【００２９】
図９を参照すると、実施形態２による電話交換機２０１は、アナログ局線インターフェース部２０２、パス制御部２０３、内線インターフェース部２０４及びＣＰＵ２０５を備える。
【００３０】
アナログ局線インターフェース部２０２は、電話局の加入者回路２１１と接続される。内線インターフェース部２０４は、内線端末２１２と接続される。パス制御部２０３は、アナログ局線インターフェース部２０２と内線インターフェース部２０４とを接続する。ＣＰＵ２０５は、パス制御部２０３を制御する。
【００３１】
ＣＰＵ２０５は、リンガ信号検出部がリンガ信号を検出している期間、パス制御部２０３を制御することにより、アナログ局線インターエース部２０２の通話部分と内線インターフェース部２０４の通話部分の接続を切断する。
【００３２】
こうすることにより、内線端末２１２において、リンガ音がスピーカから出力されることを防止することが可能となる。
【００３３】
［実施形態３］
実施形態３は、実施形態２を変形したものである。
【００３４】
図１０を参照すると、実施形態３による電話交換機２０１Ｂは、アナログ局線インターフェース部２０２Ｂ、パス制御部２０３、内線インターフェース部２０４及びＣＰＵ２０５を備える。アナログ局線インターフェース部２０２Ｂは、アナログ局線インターフェース内パス制御部２０６及びＳｕｂ  ＣＰＵ２０７を備える。
【００３５】
アナログ局線インターフェース部２０２Ｂは、電話局の加入者回路２１１と接続される。内線インターフェース部２０４は、内線端末２１２と接続される。パス制御部２０３は、アナログ局線インターフェース部２０２と内線インターフェース部２０４とを接続する。ＣＰＵ２０５は、Ｓｕｂ  ＣＰＵ２０７を備える。Ｓｕｂ  ＣＰＵ２０７は、アナログ局線インターフェース内パス制御部２０６を制御する。
【００３６】
ＣＰＵ２０５は、リンガ信号検出部がリンガ信号を検出している期間、Ｓｕｂ  ＣＰＵ２０７を介して、アナログ局線インターフェース内パス制御部２０６を制御することにより、アナログ局線インターエース部２０２Ｂの通話部分と内線インターフェース部２０４の通話部分の接続を切断する。
【００３７】
こうすることにより、内線端末２１２において、リンガ音がスピーカから出力されることを防止することが可能となる。
【００３８】
［実施形態４］
実施形態４は、実施形態１を変形したものである。
【００３９】
図１１を参照すると、実施形態４によるアナログ局線端末３０１は、局線インターフェース部３０２、パス制御部３０３、ＣＰＵ３０４、ハンドセット３０５及びスピーカを備える。
【００４０】
局線インターフェース部３０２は、電話局の加入者回路２１１と接続される。パス制御部２０３は、局線インターフェース部３０２とハンドセット３０５及びスピーカ３０６とを接続する。ＣＰＵ３０４は、パス制御部３０３を制御する。
【００４１】
ＣＰＵ３０４は、リンガ信号検出部がリンガ信号を検出している期間、パス制御部３０３を制御することにより、局線インターエース部３０２の通話部分とハンドセット３０５及びスピーカ３０６の接続を切断する。
【００４２】
こうすることにより、ハンドセット３０５のスピーカ及びスピーカ３０６からリンガ音が出力されることを防止することが可能となる。
【図面の簡単な説明】
【００４３】
【図１】従来例による電話装置の構成を示す回路図である。
【図２】電話局の加入者回路の構成を示す回路図である。
【図３】従来例によるオフフック時の動作を示すタイミング図である。
【図４】本発明の実施形態１による電話装置の構成を示す回路図である。
【図５】本発明の実施形態１による電話装置の動作を示すタイミング図である。
【図６】図４に示すリンガ信号検出部の構成例を示す回路図である。
【図７】図６に示すリンガ信号検出部の動作を示すタイミング図である。
【図８】図６に示す波形整形部をＣＰＵ及び記録媒体とした場合のその動作を示すフローチャートである。
【図９】本発明の実施形態２による電話交換機の構成を示すブロック図である。
【図１０】本発明の実施形態３による電話交換機の構成を示すブロック図である。
【図１１】本発明の実施形態４による電話装置の構成を示すブロック図である。
【符号の説明】
【００４４】
１０１  リンガ信号検出部
Ｂ  リンガ
ＨＳ１、ＨＳ２  フックスイッチ
Ｒ  スピーカ
ＳＷＲ  スピーカスイッチ
Ｔ  マイク
【図１】
2006325088.tif 000003
【図２】
2006325088.tif 000004
【図３】
2006325088.tif 000005
【図４】
2006325088.tif 000006
【図５】
2006325088.tif 000007
【図６】
2006325088.tif 000008
【図７】
2006325088.tif 000009
【図８】
2006325088.tif 000010
【図９】
2006325088.tif 000011
【図１０】
2006325088.tif 000012
【図１１】
2006325088.tif 000013